(57)【特許請求の範囲】
【請求項１】
宅内のルーティング処理装置に対し、インターネット網側に備えられたサーバから、インターネット接続用のＩＰアドレスを割り振ると共に、ＩＰ電話網側に備えられたサーバから、該インターネット接続用のＩＰアドレスとは別のＩＰ電話接続用のＩＰアドレスを割り振るステップと、
前記ルーティング処理装置において、ＩＰ電話の通話用パケットに対しては、前記ＩＰ電話接続用のＩＰアドレスを用い、ＩＰ電話網に向かうルーティング処理を行い、ＩＰ電話の通話用パケット以外のインターネット通信のデータパケットに対しては、前記インターネット接続用のＩＰアドレスを用い、インターネット網に向かうルーティング処理を行うステップと、を含み、
１つの広域通信網側の物理インタフェースに対して、ＩＰ電話接続用のＩＰアドレスとインターネット接続用のＩＰアドレスとによる複数の異なる論理インタフェースのセッションを確立することを特徴とするＩＰセッション確立方法。
【請求項２】
前記インターネット接続用のＩＰアドレスを割り振る際に、インターネット網側に備えたブロードバンドアクセスサーバ（ＢＡＳ）によりユーザ識別情報及びパスワードの認証が成立した後に、Ｒａｄｉｕｓ（Remote Authentication Dial-In User Service）サーバにより、インターネット接続用のＩＰアドレスを割り振り、
前記ＩＰ電話接続用のＩＰアドレスを割り振る際に、ＩＰ電話網側に備えられたＤＨＣＰ（Dynamic Host Configuration Protocol）サーバにより、ＩＰ電話接続用のＩＰアドレスを割り振ることを特徴とする請求項１に記載のＩＰセッション確立方法。
【請求項３】
インターネット網側に備えられたサーバから割り振られたインターネット接続用のＩＰアドレスと、ＩＰ電話網側に備えられたサーバから割り振られた、前記インターネット接続用のＩＰアドレスとは別のＩＰ電話接続用のＩＰアドレスとを使い分け、
ＩＰ電話の通話用パケットに対しては、前記ＩＰ電話接続用のＩＰアドレスを用い、ＩＰ電話網に向かうルーティング処理を行い、ＩＰ電話の通話用パケット以外のインターネット通信のデータパケットに対しては、前記インターネット接続用のＩＰアドレスを用い、インターネット網に向かうルーティング処理を行い、
１つの広域通信網側の物理インタフェースに対して、ＩＰ電話接続用のＩＰアドレスとインターネット接続用のＩＰアドレスとによる複数の異なる論理インタフェースのセッションを確立する手段を備えたことを特徴とするルーティング処理装置。
【請求項４】
ＬＡＮ側物理インタフェース終端部と、ＶｏＩＰ機能を有するＶｏＩＰ部と、ルーティング処理を行うルータ機能部と、ＶｏＩＰ論理インタフェース部と、ＰＰＰ接続の終端機能を有するＰＰＰ終端部と、ＷＡＮ側物理インタフェース終端部とを備え、
前記ルータ機能部において、前記ＬＡＮ側物理インタフェース終端部から受け取ったパケットに対して、前記インターネット接続用のＩＰアドレスを用い、インターネット網に向かうルーティング処理を行い、前記ＰＰＰ終端部を通して、前記ＷＡＮ側物理インタフェース終端部から送信する手段と、
前記ルータ機能部において、前記ＶｏＩＰ部から受け取ったパケットに対して、前記ＩＰ電話接続用のＩＰアドレスを用い、ＩＰ電話網に向かうルーティング処理を行い、前記ＶｏＩＰ論理インタフェース部を通して、前記ＷＡＮ側物理インタフェース終端部から送信する手段と、
を備えたことを特徴とする請求項３に記載のルーティング処理装置。
【発明の詳細な説明】
【技術分野】
【０００１】
本発明は、ＩＰセッション確立方法及びルーティング処理装置に関し、特に、ＩＰ（Internet Protocol）電話のためのネットワーク上の接続を設定するセッション確立方法及びその方法の実施に用いるルーティング処理装置に関する。
【背景技術】
【０００２】
ＡＤＳＬ（Asymmetric Digital Subscriber Line）、ＦＴＴＨ（Fiber To The Home）等によるインターネット常時接続の普及に伴い、ＩＰ電話の加入者数も年々増加している。ＩＰ電話は、ＶｏＩＰ（Voice over Internet Protocol）機能を有する宅内ルータ機器に一般電話を接続するなどして利用されるが、宅内ルータ機器はインターネット接続を前提としており、ＶｏＩＰ等の付加サービス機能は全てインターネット上の通信制御によって実現される。
【０００３】
図８に従来のＩＰ電話の接続形態を示す。同図に示すように、宅内のＶｏＩＰ機能付ブロードバンドルータ８−３，８−４の宅内のＬＡＮ（Local Area Network）側に、電話機８−１，８−５及びパーソナルコンピュータ８−２，８−６等を接続し、該ＶｏＩＰ機能付ブロードバンドルータ８−３，８−４の広域通信網（ＷＡＮ：Wide Area Network）側を、光回線又はＡＤＳＬ等によるインターネット回線に接続することにより、電話機８−１と電話機８−５との間で、ＶｏＩＰのプロトコルをベースにしたＩＰ通話が行われる。
【０００４】
図９に従来のＶｏＩＰ機能付ブロードバンドルータの構成を示す。同図において、ＶｏＩＰ部９−１は、インターネット回線上で音声データを送受するＶｏＩＰ機能を有し、ＩＰ通話を可能にする。ＬＡＮ側物理インタフェース終端部９−２は、イーサネット（登録商標）等のＬＡＮインタフェースを終端し、パーソナルコンピュータ等に接続される。
【０００５】
ルータ機能部９−３は、ＬＡＮ側物理インタフェース終端部９−１、ＶｏＩＰ部９−２及びＰＰＰ終端部９−４の各ブロックから入力されるパケットに対してルーティング処理を行い、ブロードバンド回線によるインターネットサービスを、複数のパーソナルコンピュータで同時に利用することができる、所謂一般のブロードバンドルータの機能を備える。
【０００６】
ＰＰＰ終端部９−４は、ＩＳＰ（Internet Services Provider）との間でＰＰＰ（Point to Point Protocol）接続の終端を行い、認証等の処理及びインターネット接続を提供する。ＷＡＮ側物理インタフェース終端部９−５は、イーサネット（登録商標）規格等に準拠したＷＡＮインタフェースを終端する。
【０００７】
インターネットによるＶｏＩＰの通話品質は、話者側のＶｏＩＰ機能付ブロードバンドルータで、音声パケットを常に一定間隔で送出し続けることができるか、また通話の相手側のＶｏＩＰ機能付ブロードバンドルータで、同じ間隔で音声パケットを受信して音声を再生することができるかどうかに依存する。
【０００８】
つまり、送信した音声パケットに対して、伝送途中で遅延／ゆらぎ／廃棄等が発生することにより、通話品質が低下することになる。ＶｏＩＰのシステムは、音声パケットの伝送にインターネットを使用するため、容易にシステムを組むことができる反面、通話品質に関しては一切保障のないものとなっている。
【０００９】
ＩＰネットワークを介した通話において、通話中に会話が途切れたり、欠落したり、急激に著しく歪んだりするのを防止するＶｏＩＰシステムとして、例えば下記の特許文献１には、送信ＶｏＩＰ端末装置において、ＩＰネットワークの混雑状況を示すトラフィックを検知して伝送可否を決定し、該決定に基づいて送出パケットを所定間隔で間引いて送信し、受信ＶｏＩＰ端末装置において、パケットのヘッダ情報を参照し、所定間隔で間引かれたパケットを補間するシステムについて開示している。
【００１０】
また、本発明に関連する先行技術文献として、ＩＰ電話のＩＰアドレス付与に関連して、下記の特許文献２には、ＬＡＮに接続されたＩＰ電話端末を管理する端末情報テーブル及び複数のＩＰアドレスを記憶するＩＰアドレステーブルを備え、ＬＡＮを利用した交換に係わるサービスの実行要求が発生した場合に、要求元又は要求先となるＩＰ電話端末が端末情報テーブルに記憶されているか否かを判定し、該当するＩＰ電話端末が端末情報テーブルに記憶されている場合に、ＩＰアドレステーブルに記憶された複数のＩＰアドレスの中から空いているＩＰアドレスを選択して、要求先又は要求元のＩＰ電話端末に割り当てることにより、ネットワークに接続される電話端末の増加要求に容易に対応し得るネットワーク電話システムについて記載されている。
【特許文献１】特開２００５−２９４９８３号公報
【特許文献２】特開２００３−８６０３号公報
【発明の開示】
【発明が解決しようとする課題】
【００１１】
ＩＰ電話は、現行の一般電話交換網（ＰＳＴＮ：Public Switched Telephone Networks）による電話と比較して、通話料金においてメリットがあるものの、基盤網にインターネットを使用して音声データの送受を行うため、通話品質／セキュリティの面において多少の問題がある。そのため一般電話交換網（ＰＳＴＮ）による電話からＩＰ電話への置き換えが進んでいないのが現状である。
【００１２】
従来の宅内ルータ機器はインターネット接続機能を有し、ＶｏＩＰ等の付加サービスは、宅内ルータ機器のインターネット接続によって提供される。しかし、それは、何らかの理由によりＡＤＳＬ又はＦＴＴＨ等のＷＡＮ側回線のリンクダウン又はサーバ障害等により、インターネット接続が正常に行えなくなった場合、同時にＶｏＩＰ等の付加サービス機能も利用できなくなることになる。
【００１３】
例えば、ＶｏＩＰ機能付の宅内ルータ機器を用いてＶｏＩＰによるＩＰ電話を行う場合、ＶｏＩＰ通信は、通常のインターネット網上に音声データを流すため、インターネット接続に障害が発生した場合には、その障害が復旧するまでは、ＶｏＩＰ通信が一切行えなくなってしまう。また、パブリックなネットワークを使用して通信を行うため、遅延／パケット廃棄等による通信品質劣化の問題、及びパケットデータの盗用／改竄等のセキュリティ上の問題が発生する可能性を秘めている。
【００１４】
本発明は、ＷＡＮ側と１つの物理インタフェースで接続された宅内ルータ機器に対して、インターネット網の論理インタフェースから独立した論理インタフェースのＩＰ電話接続を設定することができるようにし、インターネット網の障害の影響を受けることなく、また、遅延／パケット廃棄等による通信品質劣化が少なく、より高いセキュリティを確保することができるＩＰ電話接続を提供することを目的とする。
【課題を解決するための手段】
【００１５】
本発明は、インターネット接続におけるＰＰＰ接続とは独立したＶｏＩＰ接続用の論理インタフェースを追加し、インターネット接続とは別のＩＰアドレスを割り当てる。そして、宅内のルーティング処理装置の内部のルーティングテーブルにより、ＶｏＩＰのデータは全てＶｏＩＰ用論理インタフェースへとルーティングすることにより、インターネット通信とＶｏＩＰ通信とを独立させることを特徴とする。
【００１６】
即ち、本発明のＩＰセッション確立方法は、宅内のルーティング処理装置に対し、インターネット網側に備えられたサーバから、インターネット接続用のＩＰアドレスを割り振ると共に、ＩＰ電話網側に備えられたサーバから、該インターネット接続用のＩＰアドレスとは別のＩＰ電話接続用のＩＰアドレスを割り振るステップと、前記ルーティング処理装置において、ＩＰ電話の通話用パケットに対しては、前記ＩＰ電話接続用のＩＰアドレスを用い、ＩＰ電話網に向かうルーティング処理を行い、ＩＰ電話の通話用パケット以外のインターネット通信のデータパケットに対しては、前記インターネット接続用のＩＰアドレスを用い、インターネット網に向かうルーティング処理を行うステップと、を含み、１つの広域通信網側の物理インタフェースに対して、ＩＰ電話接続用のＩＰアドレスとインターネット接続用のＩＰアドレスとによる複数の異なる論理インタフェースのセッションを確立することを特徴とする。
【００１７】
また、本発明のルーティング処理装置は、インターネット網側に備えられたサーバから割り振られたインターネット接続用のＩＰアドレスと、ＩＰ電話網側に備えられたサーバから割り振られた、前記インターネット接続用のＩＰアドレスとは別のＩＰ電話接続用のＩＰアドレスとを使い分け、ＩＰ電話の通話用パケットに対しては、前記ＩＰ電話接続用のＩＰアドレスを用い、ＩＰ電話網に向かうルーティング処理を行い、ＩＰ電話の通話用パケット以外のインターネット通信のデータパケットに対しては、前記インターネット接続用のＩＰアドレスを用い、インターネット網に向かうルーティング処理を行い、１つの広域通信網側の物理インタフェースに対して、ＩＰ電話接続用のＩＰアドレスとインターネット接続用のＩＰアドレスとによる複数の異なる論理インタフェースのセッションを確立する手段を備えたことを特徴とする。
【発明の効果】
【００１８】
本発明によれば、パーソナルコンピュータ等のインターネット通信用のデータに対しては、インターネット接続用のＩＰアドレスによる論理インタフェースで通信し、ＩＰ電話のＶｏＩＰ通信のデータに対しては、ＩＰ電話接続用のＩＰアドレスによる論理インタフェースで通信することにより、ＩＰ電話をインターネット網と独立したネットワークで行い、これによって高品質で安全の高いＩＰ電話サービスを提供することが可能となる。
【発明を実施するための最良の形態】
【００１９】
図１は本発明による接続構成例を示す。同図は、ルーティング処理機能を有するブロードバンドルータ（以下ＢＢルータと称す。）１−１を用いて本発明を実施した形態を示している。同図に示すように、インターネット網側のセッションとＶｏＩＰ網側のセッションとを別個の独立したセッションとして確立する。
【００２０】
インターネット網側のセッション確立には、ＢＢルータ１−１からＰＰＰｏＥ（PPP over Ethernet（登録商標））接続のためのユーザ識別情報（ＩＤ）及びパスワードを送信し、インターネット網側のブロードバンドアクセスサーバ（ＢＡＳ：Broadband Access Server）１−３により、該ユーザ識別情報（ＩＤ）及びパスワードの認証を行う。
【００２１】
上記認証が成立すると、Ｒａｄｉｕｓ（Remote Authentication Dial-In User Service）サーバ１−４により、インターネット接続のためのＩＰアドレスをＢＢルータ１−１に対して払い出し、ＢＢルータ１−１は、該ＩＰアドレスを用いてＷｅｂサーバ１−５等に対するインターネット接続を利用可能にする。
【００２２】
一方、ＶｏＩＰ網側のセッション確立には、例えば、ＤＨＣＰ（Dynamic Host Configuration Protocol）サーバ１−７をＶｏＩＰ網側に設置し、インターネット接続用とは別に、ＶｏＩＰ接続用のＩＰアドレスをＤＨＣＰサーバ１−７からＢＢルータ１−１に払い出す。
【００２３】
ＢＢルータ１−１は、第１の電話機８−１からのＩＰ電話による通話信号を、上記ＶｏＩＰ接続用のＩＰアドレスを送信元とする音声パケットとして、ＶｏＩＰ網側のＶｏＩＰゲートウェイ１−６に向けるルーティング処理を常に行って送出し、パーソナルコンピュータ８−２から受信するデータに対しては、インターネット接続用のＩＰアドレスを送信元とするデータパケットとして、インターネット側のブロードバンドアクセスサーバ（ＢＡＳ）１−３へ向けるルーティング処理を常に行って送出する。
【００２４】
上述のＢＢルータ１−１のルーティング処理により、該ＢＢルータ１−１と１つの物理インタフェースで接続されたＷＡＮ側の通信局舎内のレイヤ２スイッチ１−２は、ＩＰ電話の音声パケットに対して、ＶｏＩＰ網のＶｏＩＰゲートウェイ１−６へ向けてスイッチングし、インターネットのデータパケットに対して、インターネット網側のブロードバンドアクセスサーバ（ＢＡＳ）１−３へ向けてスイッチングする。
【００２５】
図２に本発明によるルーティング処理装置の構成例を示す。同図において、ＶｏＩＰ部９−１、ＬＡＮ側物理インタフェース終端部９−２、ＰＰＰ終端部９−４及びＷＡＮ側物理インタフェース終端部９−５は、図９で説明したものと同様であるので、重複した説明は省略する。
【００２６】
ルータ機能部２−１は、ブロードバンド回線によるインターネット接続を、複数のパーソナルコンピュータで同時に利用することができる、所謂一般のブロードバンドルータの機能を備えると共に、ＶｏＩＰ部９−１から入力される音声パケットを常にＶｏＩＰ論理インタフェース部２−２へルーティングし、ＬＡＮ側物理インタフェース終端部９−２から入力されるパケットを常にＰＰＰ終端部９−４へルーティングする。また、ＶｏＩＰ論理インタフェース部２−２から入力される音声パケットを常にＶｏＩＰ部９−１へルーティングし、ＰＰＰ終端部９−４から入力されるパケットを常にＬＡＮ側物理インタフェース終端部９−２へルーティングする。
【００２７】
ここで、ルーティング処理とは、宛先ＩＰアドレスが格納されたレイヤ３のパケットを受信し、該宛先ＩＰアドレスを基に、該パケットの転送先通信ノードのＭＡＣ（Media Access Control）アドレスを付与したレイヤ２のパケット出力することである。
【００２８】
ＶｏＩＰ論理インタフェース部２−２は、ＶｏＩＰ網のＤＨＣＰサーバ１−７から払い出されたＶｏＩＰ接続用のＩＰアドレスを有し、該ＶｏＩＰ接続用のＩＰアドレスによる論理インタフェースは、ＰＰＰ終端部９−４に対して与えられたＩＰアドレスによる論理インタフェースとは別の独立した論理インタフェースとして、ＶｏＩＰ網との間に形成される。
【実施例】
【００２９】
図３乃至図７に本発明によるＩＰ電話のセッション確立の実施例を示す。図３は、各ネットワーク機器に割り当てられたＩＰアドレス及びＭＡＣの例を示し、図４及び図５はＶｏＩＰ接続の動作フローを、図６及び図７はインターネット接続の動作フローを示す。
【００３０】
図３に示すように、ＢＢルータ１−１には、ＭＡＣアドレス“Ａ”が付与され、また、ＶｏＩＰ網のＤＨＣＰサーバより、ＶｏＩＰ論理インタフェース部２−２にＩＰアドレス“２１０．１．１．２”が割り当てられ、プライマリＤＮＳのＩＰアドレス“１０．０．０．１００”、セカンダリＤＮＳのＩＰアドレス“１０．０．０．１０１”、ＶｏＩＰゲートウェイ１−６のＩＰアドレス“２１０．１．１．１”が配布されているものとする。
【００３１】
また、ＢＢルータ１−１には、インターネット接続用として、ＩＰアドレス“３０．３０．３０．１０”、プライマリＤＮＳのＩＰアドレス“１０．０．０．１００”、セカンダリＤＮＳのＩＰアドレス“１０．０．０．１０１”が配布されているものとする。
【００３２】
また、ＶｏＩＰゲートウェイ１−６には、ＩＰアドレス“２１０．２．１．１”、ＭＡＣアドレス“Ｂ”が割り当てられ、ブロードバンドアクセスサーバ（ＢＡＳ）１−３には、ＩＰアドレス“３０．３０．３０．１”、ＭＡＣアドレス“Ｃ”が割り当てられ、第２の電話機８−５側には、ＩＰアドレス“２１０．１．１．１００”が割り当てられ、Ｗｅｂサーバ１−５には、ＩＰアドレス“１００．１００．１００．１００”が割り当てられているものとする。
【００３３】
図４に本発明によるＩＰ電話接続のセッション確立の動作フローを示す。同図に示すように、ＢＢルータ１−１の電源が投入（ＯＮ）されると（ステップ４−１）、ＤＨＣＰサーバよりＶｏＩＰ論理インタフェース部２−２にＩＰアドレス“２１０．１．１．２”を割り当て、プライマリＤＮＳのＩＰアドレス“１０．０．０．１００”、セカンダリＤＮＳのＩＰアドレス“１０．０．０．１０１”、ＶｏＩＰゲートウェイ１−６のＩＰアドレス“２１０．１．１．１”を配布する（ステップ４−２）。
【００３４】
第１の電話機８−１から第２の電話機８−５へのダイヤル発信を行うと（ステップ４−３）、ＶｏＩＰ部９−１は、呼び出し用のＶｏＩＰパケットを、宛先アドレス“２１０．１．１．１００”及び送信元アドレス“２１０．１．１．２”として作成してルータ機能部２−１へ渡す（ステップ４−４）。
【００３５】
ルータ機能部２−１は、ＶｏＩＰ部９−１からのパケットをＶｏＩＰ用のパケットと判断して、ＶｏＩＰ論理インタフェース部２−２へ転送する（ステップ４−５）。ＶｏＩＰ論理インタフェース部２−２は、受け取った音声パケットをＶｏＩＰゲートウェイ１−６へパケットを転送するために、ＶｏＩＰゲートウェイ１−６のＩＰアドレス“２１０．１．１．１”に対してＭＡＣアドレスを求めるＡＲＰ（Address Resolution Protocol）パケットをブロードキャストで送信する（ステップ４−６）。
【００３６】
ＶｏＩＰ論理インタフェース部２−２は、ＶｏＩＰゲートウェイ１−６より“２１０．１．１．１”のＭＡＣアドレスは“Ｂ”であるという応答を受信すると(ステップ４−７）、ＶｏＩＰ論理インタフェース部２−２は、宛先ＭＡＣアドレス：“Ｂ”、送信元ＭＡＣアドレス：“Ａ”、宛先ＩＰアドレス：“２１０．１．１．１００”、送信元ＩＰアドレス：“２１０．１．１．２”の呼出用ＶｏＩＰパケットを生成してレイヤ２スイッチ（Ｌ２ＳＷ）１−２へ転送する（ステップ５−１）。
【００３７】
レイヤ２スイッチ（Ｌ２ＳＷ）１−２は、受け取ったパケットの宛先ＭＡＣアドレス“Ｂ”を見て、ＶｏＩＰゲートウェイ１−６側へ該パケットを転送する（ステップ５−２）。ＶｏＩＰゲートウェイ１−６は、宛先ＩＰアドレスを見て、ＶｏＩＰサーバへ該パケットを転送する（ステップ５−３）。
【００３８】
ＶｏＩＰサーバ１−８は、宛先電話番号を見て第２の電話機８−５側へ該パケットを転送する（ステップ５−４）。第２の電話機８−５側では、呼出用のパケットを受信して呼び出し音を鳴動する（ステップ５−５）。第２の電話機８−５の送受話器が上げられると、第２の電話機８−５側では、応答パケットを第１の電話機８−１側へ送信する（ステップ５−６）。第１の電話機８−１側で応答パケット受信すると（ステップ５−７）、通話開始可能となる（ステップ５−８）。
【００３９】
次に、図６及び図７を参照して、インターネット接続のセッション確立の動作フローについて説明する。図６に示すように、ＢＢルータ２−１の電源が投入（ＯＮ）されると（ステップ６−１）、ＰＰＰ終端部９−４は、ＰＰＰ認証サーバを捜索するために、ＰＰＰｏＥ発見開始（ＰＡＤＩ：PPPoE Active Discovery Initiation)パケットをブロードキャストで送信する（ステップ６−２）。
【００４０】
ブロードバンドアクセスサーバ（ＢＡＳ）１−３は、ＰＰＰ終端部９−４に対してユニキャストで応答する（ステップ６−３）。ＰＰＰ終端部９−４は、ＢＢルータ２−１に設定されているインターネット接続用のユーザ識別情報（ＩＤ）／パスワードを用いて、ブロードバンドアクセスサーバ（ＢＡＳ）１−３に対して認証要求を行う（ステップ６−４）。
【００４１】
上記認証が成立すると、ブロードバンドアクセスサーバ（ＢＡＳ）１−３は、ＰＰＰ終端部９−４に対してＩＰアドレス“３０．３０．３０．１０”、プライマリＤＮＳのＩＰアドレス“１０．０．０．１００”、セカンダリＤＮＳのＩＰアドレス“１０．０．０．１０１”を配布する（ステップ６−５）。
【００４２】
パーソナルコンピュータ８−２から、Ｗｅｂサーバ（“１００．１００．１００．１００”）へアクセスする（ステップ６−６）。ＬＡＮ側物理インタフェース終端部９−２は、ＩＰパケットを送信元ＩＰアドレス“３０．３０．３０．１０”、宛先ＩＰアドレス“１００．１００．１００．１００”で生成してルータ機能部２−１へ渡す（ステップ６−７）。
【００４３】
ルータ機能部２−１は、ＬＡＮ側物理インタフェース終端部９−２からのパケットを、インターネット用のパケットと判断して、ＰＰＰ終端部９−４へ転送する（ステップ７−１）。ＰＰＰ終端部９−４は、アクセスサーバ（ＢＡＳ）１−３のＭＡＣアドレスを取得するためにＩＰアドレス“３０．３０．３０．１”に対してＡＲＰをブロードキャストで送信する（ステップ７−２）。
【００４４】
ＰＰＰ終端部９−４は、ブロードバンドアクセスサーバ（ＢＡＳ）１−３よりＩＰアドレス“３０．３０．３０．１”のＭＡＣアドレスは“Ｃ”である旨の応答を受信する（ステップ７−３）。ＰＰＰ終端部９−４は、宛先ＭＡＣアドレス：“Ｃ”、送信元ＭＡＣアドレス：“Ａ”、宛先ＩＰアドレス：“１００．１００．１００．１００”、送信元ＩＰＩＰアドレス：“３０．３０．３０．１０”のＩＰパケットを生成してレイヤ２スイッチ（Ｌ２ＳＷ）へ転送する（ステップ７−４）。
【００４５】
レイヤ２スイッチ（Ｌ２ＳＷ）は、宛先ＭＡＣアドレス“Ｃ”を見て、ブロードバンドアクセスサーバ（ＢＡＳ）１−３側へ該パケットを転送する（ステップ７−５）。ブロードバンドアクセスサーバ（ＢＡＳ）１−３は、宛先ＩＰアドレスを見て、Ｗｅｂサーバ１−５（“１００．１００．１００．１００”）へパケットを転送する（ステップ７−６）。Ｗｅｂサーバ１−５は、ＢＢルータ１−１に対してデータを送信する（ステップ７−７）。
【図面の簡単な説明】
【００４６】
【図１】本発明による接続構成例を示す図である。
【図２】本発明によるルーティング処理装置の構成例を示す図である。
【図３】本発明の実施例のＩＰアドレス及びＭＡＣの割り当て例を示す図である。
【図４】本発明の実施例のＶｏＩＰ接続の動作フローを示す図である。
【図５】本発明の実施例のＶｏＩＰ接続の動作フローを示す図である。
【図６】本発明の実施例のインターネット接続の動作フローを示す図である。
【図７】本発明の実施例のインターネット接続の動作フローを示す図である。
【図８】従来のＩＰ電話の接続形態を示す図である。
【図９】従来のＶｏＩＰ機能付ブロードバンドルータの構成を示す図である。
【符号の説明】
【００４７】
１−１  ブロードバンドルータ
１−２  レイヤ２スイッチ
１−３  ブロードバンドアクセスサーバ
１−４  Ｒａｄｉｕｓサーバ
１−５  Ｗｅｂサーバ
１−６  ＶｏＩＰゲートウェイ
１−７  ＤＨＣＰサーバ
８−１  第１の電話機
８−２  パーソナルコンピュータ
８−５  第２の電話機
【図１】
0004663565.tif 000002
【図２】
0004663565.tif 000003
【図３】
0004663565.tif 000004
【図４】
0004663565.tif 000005
【図５】
0004663565.tif 000006
【図６】
0004663565.tif 000007
【図７】
0004663565.tif 000008
【図８】
0004663565.tif 000009
【図９】
0004663565.tif 000010